(57)【要約】【課題】折り返し階段の吹抜き内での作業を安全にして且つ能率良く行えるようにした階段用足場装置を提供する。【解決手段】下階２から踊り場１までの下階側階段部３と踊り場１から上階４までの上階側階段部５とが折り返し状になった階段に使用される足場装置であって、上階４の吹抜き口手摺り７に掛止される足場固定枠８と、足場固定枠８に端部を支持される伸縮式足場板９との組み合わせからなり、足場固定枠８は、梯子状本体１３の上部にコ字枠状の掛嵌部１４を連設してなるもので、階段吹抜き口Ｓｏに臨んで対向する両側の手摺り７ａ，７ｂに夫々足場固定枠８，８を掛止固定し、両足場固定枠８，８の梯子状本体１３，１３の足場支持杆１２，１２に伸縮式足場板９の両端部を支持させるようにした。【選択図】図５
2006233435.tif 000002
【特許請求の範囲】
【請求項１】
下階から踊り場までの下階側階段部と踊り場から上階までの上階側階段部とが折り返し状になっている折り返し階段に使用される階段用足場装置であって、
上階の階段吹抜き口側に設けられた手摺りに掛止固定される足場固定枠と、
足場固定枠に端部を支持される伸縮式足場板と、の組み合わせからなり、
足場固定枠は、一対の縦枠間に足場支持杆を上下複数段に横架してなる梯子状本体の上部に、前記手摺りの上端部に掛嵌するコ字枠状の掛嵌部を連設することによって形成されるもので、階段吹抜き口に臨んで対向する両側の手摺りに夫々足場固定枠を掛止固定し、両足場固定枠の梯子状本体の足場支持杆に伸縮式足場板の両端部を支持させるようにした階段用足場装置。
【請求項２】
下階から踊り場までの下階側階段部と踊り場から上階までの上階側階段部とが折り返し状になっている折り返し階段に使用される階段用足場装置であって、
上階の階段吹抜き口側に設けられた手摺りに掛止固定される足場固定枠と、
足場固定枠に端部を支持される伸縮式足場板と、
夫々一対の脚柱間に踏桟を横架してなる両側一対の梯子状脚体の上端部どうしを枢着して形成された伸縮脚付き脚立と、の組み合わせからなり、
足場固定枠は、一対の縦枠間に足場支持杆を上下複数段に横架してなる梯子状本体の上部に、前記手摺りの上端部に掛嵌するコ字枠状の掛嵌部を連設することによって形成されるもので、この足場固定枠を前記手摺りに掛止固定して、梯子状本体の足場支持杆に前記足場板の一端部を支持させるようにし、脚立は、踊り場もしくは上階の何れかに設置されるか、又は踊り場、上階、階段部の何れかに跨がって設置され、両梯子状脚体に前記足場板の他端側を貫通させて両梯子状脚体の踏桟に支持させるようにした階段用足場装置。
【発明の詳細な説明】
【技術分野】
【０００１】
本発明は、建物の階段吹抜き内で階段壁面等を補修したり、照明器具の取り替え作業等な行うような場合に使用される階段用足場装置に関するもので、特に下階から踊り場までの下階側階段部と踊り場から上階までの上階側階段部とが折り返し状になっている折り返し階段用の足場装置に関する。
【背景技術】
【０００２】
上記のような折り返し階段内で壁面補修等の作業を行う場合、従来では、梯子を踊り場や階段部から階段吹抜き内の壁面に立て掛け、この梯子に乗って作業を行っていたが、梯子による作業では作業範囲が狭いため、梯子を度々移動させる必要がある上に、梯子を階段部のステップに設置させる場合は非常に不安定で危険であるため、複数人の作業員で梯子を保持しておく必要があり、従って作業能率が非常に悪かった。
【発明の開示】
【発明が解決しようとする課題】
【０００３】
本発明は、上記の課題に鑑み、折り返し階段の吹抜き内での各種作業を安全にして且つ能率良く行えるようにした階段用足場装置を提供することを目的とする。
【課題を解決するための手段】
【０００４】
上記課題を解決するための手段を、後述する実施形態の参照符号を付して説明すると、請求項１に係る発明は、下階２から踊り場１までの下階側階段部３と踊り場１から上階４までの上階側階段部５とが折り返し状になっている折り返し階段に使用される階段用足場装置であって、図５の(b) にＢで示すように、
上階４の階段吹抜き口Ｓｏ側に設けられた手摺り７に掛止固定される足場固定枠８と、  足場固定枠８に端部を支持される伸縮式足場板９と、の組み合わせからなり、
足場固定枠８は、一対の縦枠１１、１１間に足場支持杆１２を上下複数段に横架してなる梯子状本体１３の上部に、前記手摺り７の上端部に掛嵌するコ字枠状の掛嵌部１４を連設することによって形成されるもので、階段吹抜き口Ｓｏに臨んで対向する両側の手摺り７ａ，７ｂに夫々足場固定枠８，８を掛止固定し、両足場固定枠８，８の梯子状本体１３，１３の足場支持杆１２，１２に伸縮式足場板９の両端部を支持させるようにしたことを特徴とする。
【０００５】
請求項２に係る発明は、下階２から踊り場１までの下階側階段部３と踊り場１から上階４までの上階側階段部５とが折り返し状になっている折り返し階段に使用される階段用足場装置であって、図２及び図６にＡ１，Ａ２で示すように、
上階４の階段吹抜き口Ｓｏ側に設けられた手摺り７に掛止固定される足場固定枠８と、  足場固定枠８に端部を支持される伸縮式足場板９と、
夫々一対の脚柱２３，２３間に踏桟２４を横架してなる両側一対の梯子状脚体２２，２２の上端部どうしを枢着して形成された伸縮脚２６付き脚立１０と、の組み合わせからなり、
足場固定枠８は、一対の縦枠１１，１１間に足場支持杆１２を上下複数段に横架してなる梯子状本体１３の上部に、前記手摺り７の上端部に掛嵌するコ字枠状の掛嵌部１４を連設することによって形成されるもので、この足場固定枠８を前記手摺り７に掛止固定して、梯子状本体１３の足場支持杆１２に前記足場板９の一端部を支持させるようにし、脚立１０は、踊り場１もしくは上階４の何れかに設置されるか、又は踊り場１、上階４、階段部３，５の何れかに跨がって設置され、両梯子状脚体２２，２２に前記足場板９の他端側を貫通させて両梯子状脚体２２，２２の踏桟２４，２４に支持させるようにしたことを特徴とする。
【発明の効果】
【０００６】
上記解決手段による発明の効果を、後述する実施形態の参照符号を付して説明すると、請求項１に係る発明によれば、階段吹抜き口Ｓｏに臨んで対向する両側の手摺り７ａ，７ｂに夫々足場固定枠８，８を掛止固定し、両足場固定枠８，８の梯子状本体１３，１３の足場支持杆１２，１２に伸縮式足場板９の両端部を支持させるようにしたものであるから、足場板９は水平姿勢で支持固定されることになり、従って作業者は、この足場板９の上に乗って適宜に移動しながら、階段吹抜きＳ内での補修作業や、照明器具の取り替え作業等を安全且つ能率良く行うことができる。
【０００７】
請求項２に係る発明によれば、伸縮式足場板９の一端部を、上階４の手摺り７に掛止固定した足場固定枠８の足場支持杆１２に支持させ、この足場板９の他端側を、踊り場１もしくは上階４の何れかに設置するか、又は踊り場１、上階４、階段部３，５の何れかに跨がって設置した脚立１０の両梯子状脚体２２，２２の所要の踏桟２４，２４に支持させるようにしたものであるから、足場板９は水平姿勢で支持固定されることになり、従って作業者は、この足場板９の上に乗って適宜に移動しながら、階段吹抜きＳ内での階段壁面等の補修作業、照明器具の取り替え作業等を能率良く安全に行うことができる。
【発明を実施するための最良の形態】
【０００８】
以下に本発明の好適な実施形態を図面に基づいて説明すると、図１の(a) は折り返し階段を示す平面図、(b) は(a) のＸ−Ｘ線断面図であり、この図において、１は階段の踊り場で、下階２から踊り場１までの下階側階段部３と、踊り場１から上階４までの上階側階段部５とが図１の(a) に示すように折り返し状になっており、これらの踊り場１及び階段部３，５を含む垂直な空間部が階段吹抜きＳを形成している。また、下階側階段部３及び上階側階段部５の内側縁に沿って傾斜状の階段手摺り６が設置され、これらの階段部３，５及び踊り場１の外側面は壁Ｗを形成し、そして上階４の階段吹抜き口Ｓｏには下階側階段部３の下段部上方位置に水平状の吹抜き口手摺り７が設置されている。
【０００９】
図２は、図１の(a) ，(b) で示されるような折り返し階段に使用される階段用足場装置Ａ１を示す側面図である。この階段用足場装置Ａ１は、吹抜き口手摺り７に掛止固定される足場固定枠８と、この足場固定枠８に端部を支持される伸縮式足場板９と、両側一対の梯子状脚体２２，２２の上端部どうしを枢着して形成された伸縮脚２６付き脚立１０と、の組合せからなる。
【００１０】
足場固定枠８は、図７の(a) 〜(d) から分かるように、一対の縦枠１１，１１間に足場支持杆１２を上下複数段に横架してなる梯子状本体１３の上部に、前記吹抜き口手摺り７の上端部に掛嵌されるコ字枠状の掛嵌部１４を連設することにより形成され、掛嵌部１４は、梯子状本体１３の両縦枠１４，１４の上端部に夫々直角に連結された水平杆１４ａ，１４ａと、両水平杆１４ａ，１４ａの先端部に垂下連結された垂下片１４ｂ，１４ｂと、両垂下片１４ｂ，１４ｂの下端部をつなぐ連結片１４ｃとからなり、両水平杆１４ａ，１４ａの基端部どうしは補強杆１４ｄによって連結されている。尚、梯子状本体１３の縦枠１１と掛嵌部１４の垂下片１４ｂとの間隔は、吹抜き口手摺り７の厚さより僅かに広くなるように設定される。
【００１１】
伸縮式足場板９は、図８の(a) ，(b) 及び図９の(a) ，(b) に示すように足場板長さ方向に相対移動自在に連結された一対の足場板本体１５，１６からなる周知構造のもので、各足場板本体１５，１６は、足場板幅方向に間隔をおいて配置されたアルミ押出形材製の足場板部材１７，１８を備え、一方の足場板本体１５の足場板部材１７が他方の足場板本体１６の足場板部材１８間に足場板長さ方向スライド自在に介在されている。一方の足場板本体１５の足場板部材１７の足場板長さ方向一端側及び他方の足場板本体１６の足場板部材１８の足場板長さ方向他端側は、夫々連結部材１９，１９によって相互に連結され、また一方の足場板本体１５の足場板部材１７の足場板長さ方向他端側及び他方の足場板本体１６の足場板部材１８の足場板長さ方向一端側は、夫々全足場板部材１７，１８に亘って外嵌されて足場板長さ方向にスライド自在に支持されたバンドプレート２０により相互に連結されている。
【００１２】
従って、両足場板本体１５，１６は、足場板長さ方向に相対移動自在とされ、それにより足場板９は長さ方向に伸縮自在に構成されている。また、一方の足場板本体１５における足場板幅方向一端側の足場板部材１７と、この足場板部材１７に対向する、他方の足場板本体１６の足場板幅方向一端側の足場板部材１８との間には、両方の足場板本体１５，１６を所要の伸縮位置にロックするロック装置２１が介設されている。図８の(a) は収縮状態での足場板９の平面図、(b) はその正面図であり、図９の(a) は伸張状態での足場板９の平面図、(b) はその正面図である。
【００１３】
脚立１０は、図１０に例示するように、一対の梯子状脚体２２，２２の上端部どうしを回転連結金具２５，２５で枢着してなる周知構造のもので、各梯子状脚体２２は、両側一対の脚柱２３，２３と、両脚柱２３，２３間に上下複数段に横架される踏桟２４とによって形成されると共に、各脚柱２３には、下端に脚端具２６ａを備えた伸縮脚２６が伸縮可能に連結されている。図示は省略するが、各脚柱２３には、伸縮脚２６を脚柱２３に対して適宜に伸縮調整した位置でロックするロック手段が設けてある。尚、図１０において、２７は両梯子状脚体２２，２２を開脚状態に固定するラッチ式のストッパーを示す。
【００１４】
上記のような構成の階段用足場装置Ａ１を、図１の(a) ，(b) で示されるような階段に設置するには、先ず、図２及び図３に示すように、上階４の吹抜き口手摺り７に足場固定枠８を掛止固定し、踊り場１と下階側階段部３とに亘って脚立１０を設置する。そして収縮状態とした伸縮式足場板９を所要高さ位置で脚立１０の両梯子状脚体２２，２２に水平方向に貫通させて、この足場板９の一端部を足場固定枠８における梯子状本体１３の所要の足場支持杆１２に支持させると共に、足場板９の他端側を両梯子状脚体２２，２２の所要の踏桟２４，２４に支持させた状態で、足場板９を適宜伸張させて、この足場板９の他端部を踊り場１の壁Ｗに当接させ、しかして足場板９の両端部を吹抜き口手摺り７と踊り場１の壁Ｗとに強く押し付けた状態で、足場板本体１５，１６を所要の伸張位置にロックする。
【００１５】
こうして足場固定枠８と伸縮式足場板９と脚立１０との組み合わせからなる階段用足場装置Ａ１を仮設する。この階段用足場装置Ａ１は、伸縮式足場板９の一端部を、上階４の吹抜き口手摺り７に掛止固定した足場固定枠８の足場支持杆１２に支持させ、この足場板９の他端側を、踊り場１と下階側階段部３とに亘って脚立１０を設置した脚立１０の両梯子状脚体２２，２２の所要の踏桟２４，２４に支持させると共に、この伸縮式足場板９の両端部を吹抜き口手摺り７と踊り場１の壁Ｗに強く押し付けているため、足場板９はガタつくことなく水平に安定状態に支持固定され、従って作業者は、この足場板９の上に乗って適宜に移動しながら、階段吹抜きＳ内での階段壁面等の補修作業や、照明器具の取り替え作業等を能率良くしかも安全に行うことができる。
【００１６】
この図２及び図３に示す設置例では、図３及び図４から分かるように、大小２つの脚立１０と伸縮式足場板９とからなる他の階段用足場装置Ｃが、上記階段用足場装置Ａ１と並列状態に設置されている。階段用足場装置Ｃは、図４に示すように、上階側階段部５を上がり終えた上階４の入口側に丈の低い脚立１０（特に１０ｂで示す）を設置すると共に、丈の高い脚立１０（特に１０ａで示す）を上階側階段部５の下段部と踊り場１とに亘って設置し、これら両脚立１０ａ，１０ｂに伸縮式足場板９を貫通させて、足場板９の一端側を脚立１０ｂの両梯子状脚体２２，２２の所要の踏桟２４，２４に支持させ、足場板９の他端側を脚立１０ａの両梯子状脚体２２，２２の所要の踏桟２４，２４に支持させ、その他端部を踊り場１の壁Ｗに当接させている。
【００１７】
また図３に示すように、階段用足場装置Ｃの伸縮式足場板９と階段用足場装置Ａ１の伸縮式足場板９とに亘って他の伸縮式足場板９を掛け渡して、両方の足場装置Ａ１，Ｃを互いに行き来できるようにしている。上記他の伸縮式足場板９はその両端部を踊り場１の対向する壁Ｗ，Ｗに押し付けた状態としている。
【００１８】
尚、階段用足場装置Ａ１を示す図２の設置例では、脚立１０の一方の梯子状脚体２２を踊り場１に支持させ、他方の梯子状脚体２２を下階側階段部３の上段部で支持させているが、脚立１０の両梯子状脚体２２，２２を共に踊り場１上で支持させるようにしてもよい。
【００１９】
図５は、図１と同様な折り返し階段を示したものであるが、図１の階段では、吹抜き口手摺り７が上階４の、下階側階段部３の下段部上方位置にのみ設けられているのに対し、この図５の場合は、吹抜き口手摺り７が、上階側階段部５を上がり終えて上階４に入る入口部を除いて上階４の階段吹抜き口Ｓｏを囲むように設けられている場合で、(a) はこのような折り返し階段を吹抜き口手摺り７のところで水平に断面した平面断面図である。
【００２０】
図５の(b) は、図５の(a) で示される折り返し階段に使用される階段用足場装置Ｂを示す側面図である。この階段用足場装置Ｂは、上階側階段部５を上がり終えた上階入口部を除いて上階４の階段吹抜き口Ｓｏを囲むように設けられた吹抜き口手摺り７に掛止固定される足場固定枠８と、この足場固定枠８に端部を支持される伸縮式足場板９との組み合わせからなるもので、階段吹抜き口Ｓｏに臨んで対向する両側の吹抜き口手摺り７ａ，７ｂに夫々足場固定枠８，８を掛止固定し、これら両足場固定枠８，８の梯子状本体１３，１３の足場支持杆１２，１２に伸縮式足場板９の両端部を支持させるようにしたものである。
【００２１】
この階段用足場装置Ｂの設置にあたっては、先ず、階段吹抜き口Ｓｏに臨んで対向する両側の吹抜き口手摺り７，７に足場固定枠８，８を夫々掛止固定し、そして収縮状態とした伸縮式足場板９を水平姿勢で両足場固定枠８，８の梯子状本体１３，１３間に挿入し、その後、この足場板９を伸張させながら、足場板９の両端部を両足場固定枠８，８の梯子状本体１３，１３の夫々所要の足場支持杆１２，１２に夫々支持させると共に、足場板９を伸張させて、その両端部を、対向する両側の吹抜き口手摺り７，７に押し付けた状態で、足場板９の足場板本体１５，１６を所要の伸張位置にロックする。
【００２２】
こうして両側一対の足場固定枠８，８と伸縮式足場板９との組み合わせからなる階段用足場装置Ｂを仮設する。この階段用足場装置Ｂは、階段吹抜き口Ｓｏに臨んで対向する両側の吹抜き口手摺り７ａ，７ｂに夫々足場固定枠８，８を掛止固定し、これら両足場固定枠８，８の梯子状本体１３，１３の足場支持杆１２，１２に伸縮式足場板９の両端部を支持させると共に、伸縮式足場板９の両端部を、対向する両側の吹抜き口手摺り７，７に押し付けた状態としているから、足場板９はガタつくことなく水平姿勢で安定状態に支持固定されることになり、従って作業者は、この足場板９の上に乗って適宜に移動しながら、階段吹抜きＳ内での補修作業や、照明器具の取り替え作業等をより安全にして且つ能率良く行うことができる。
【００２３】
図６は、図５の(a) で示される折り返し階段に使用される階段用足場装置Ａ２を示す側面図である。この階段用足場装置Ａ２は、図２によって説明した階段用足場装置Ａ１と同じ構成であって、図５の(a) から分かるように踊り場１側に位置する吹抜き口手摺り７ｂに掛止固定される足場固定枠８と、この足場固定枠８に端部を支持される伸縮式足場板９と、両側一対の梯子状脚体２２，２２の上端部どうしを枢着して形成された伸縮脚２６付き脚立１０との組合せからなる。この階段用足場装置Ａ２の設置方法は、階段用足場装置Ａ１と同様である。この図６の例では、脚立１０の両梯子状脚体２２，２２を共に上階４で支持させているが、この脚立１０の一方の梯子状脚体２２を上階４で支持させ、他方の梯子状脚体２２を上階側階段部５の上段部で支持させるようにしてもよい。尚、この階段用足場装置Ａ２に使用する脚立１０は、比較的丈の低い小形のものでよい。
【図面の簡単な説明】
【００２４】
【図１】(a) は折り返し階段を示す平面図、(b) は(a) のＸ−Ｘ線断面図である。
【図２】図１の(a) ，(b) で示される折り返し階段に使用される階段用足場装置を示す側面図である。
【図３】図２に示される階段用足場装置の平面図である。
【図４】図３のＹ−Ｙ線断面図である。
【図５】(a) は他の折り返し階段を示す平面断面図、(b) は(a) で示される折り返し階段に使用される階段用足場装置の側面図である。
【図６】図５の(a) で示される折り返し階段に使用される他の階段用足場装置の側面図である。
【図７】(a) は足場固定枠の側面図、(b) は正面図、(c) は背面図、(d) は平面図である。
【図８】(a) は収縮状態での伸縮式足場板の平面図、(b) はその正面図である。
【図９】(a) は伸張状態での伸縮式足場板の平面図、(b) はその正面図である。
【図１０】脚立を示す斜視図である。
【符号の説明】
【００２５】
Ａ１          階段用足場装置
Ａ２          階段用足場装置
Ｂ            階段用足場装置
Ｃ            階段用足場装置
１            踊り場
Ｓ            階段吹抜き
Ｓｏ          階段吹抜き口
２            下階
３            下階側階段部
４            上階
５            上階側階段部
６            階段手摺り
７            吹抜き口手摺り
８            足場固定枠
９            伸縮式足場板
１０          脚立
１１          縦枠
１２          足場支持杆
１３          梯子状本体
１４          コ字枠状掛嵌部
２２          梯子状脚体
２３          脚柱
２４          踏桟
２６          伸縮脚
【図１】
2006233435.tif 000003
【図２】
2006233435.tif 000004
【図３】
2006233435.tif 000005
【図４】
2006233435.tif 000006
【図５】
2006233435.tif 000007
【図６】
2006233435.tif 000008
【図７】
2006233435.tif 000009
【図８】
2006233435.tif 000010
【図９】
2006233435.tif 000011
【図１０】
2006233435.tif 000012